(57)【要約】【目的】消費者が安心して家畜製品を購入出来るようにした、いいかえれば家畜材料を原料としている食品メーカが容易に食品のトレースデータを検索出来るようにした結果、安定した品質の食品を管理提供出来るようにしたシステムを提供すること。【構成】個々の牧場経営者が持つ家畜舎の構造や飼育などの基本データが記憶されている生産者概要台帳と、名前、整理番号、生年月日、出生地など１乃至複数の記録管理するための個体及び群体管理台帳と、家畜に与える飼料を管理するための飼料管理台帳と、１乃至複数の端末装置と、１乃至複数の端末装置を結ぶため通信網とからなる。【選択図】  図１
2004302565.tif 000002
【特許請求の範囲】
【請求項１】
個々の牧場経営者が持つ家畜舎の構造や飼育などの基本データが記憶されている生産者概要台帳と、
名前、整理番号、生年月日、出生地など１乃至複数の記録管理するための個体及び群体管理台帳と、
家畜に与える飼料を管理するための飼料管理台帳と、
１乃至複数の端末装置と、１乃至複数の端末装置を結ぶため通信網とからなり、
上記端末装置は、上記台帳に記憶されているデータのうち任意のものを選択してその配信を希望する旨の上記配信要求指令を生成して上記通信網を介して送られてくる上記データを受信して該データの属性に応じた形態で出力する手段とを備えていることを特徴とする家畜の情報管理システム。
【請求項２】
上記家畜舎における生産者と消費者等との交流履歴を管理するための交流履歴データと、
１乃至複数の端末装置と、
１乃至複数の端末装置を結ぶため通信網において、
上記端末装置は上記台帳に記憶されているデータのうち任意のものを選択してその配信を希望する旨の上記配信要求指令を生成して、
上記通信網を介して送られてくる上記データを受信し、該データの属性に応じた形態で出力する手段とを備えている、ことを特徴とする上記請求項１に示す家畜の情報管理システム。
【請求項３】
上記請求項１に示す生産者概要台帳と、個体及び群体管理台帳と、飼料管理台帳からなる家畜の情報管理システム本体は、当システム本体を操作し得る管理者にパスワードのような識別情報を与えることが出来る構成を有し、かつ当該管理者の端末装置から上記通信網を介し送られる情報が、正に管理者のものであるか否かを照合し判断する機能をもつことを特徴とした上記請求項１に示す家畜の情報管理システム。
【発明の詳細な説明】
【０００１】
【発明の属する技術分野】
本発明は、仮令えば牛や豚や鶏などの家畜舎の飼育の管理であって、詳しくは家畜の個体及び群体の生産記録を追跡（以下トレースと言う）するための情報を管理する家畜の情報管理システムに関する。
【０００２】
【従来の技術】
牛や畜産物が所謂肉骨粉が補填された肥料で飼育された牛や畜産物がＢＳＥ（牛海綿状脳症）を羅患した事件は未だ耳に新しく、一般消費者は牛及びその畜産物を口にしないという程社会的な大問題となった。
【０００３】
この問題を是正し消費者が安心して牛及びその畜産物を口にすることが出来る為にはその牛などの家畜の血統記録、生育記録や飼料記録等情報を記憶させておく必要があるが、この記録態様は各酪農家においてまちまちであり、甚だしきは正確な飼育記録さえない場合も多い。
【０００４】
従って一般的に食品の原材料等をトレースすることは家畜類の製品、仮令えば牛肉、鶏肉、牛乳等乳製品の場合特に困難であった。
【０００５】
ただ各種の組成物やその給与方法などは仮令えば特許文献１に、また純粋種の和種牛または純粋種の和種牛の遺伝子比率が５０％以上である交雑種の和種牛のいずれかの雌牛の飼育方法、および前期飼育方法により得られた和種雌牛などにあっては特許文献２に記載されているがこれらを正確に記憶し保管し検索出来るシステムは皆無であった。
【０００６】
【特許文献１】
特開平９−７５０１１
飼育の組成物やその給与方法が記載されている。
【特許文献２】
特許第３１６９８０５号
牛の遺伝子率や飼育方法が記載されている。
【０００７】
【発明が解決しようとする課題】
本発明の目的は消費者が安心して家畜製品を購入出来るようにした、いいかえれば家畜材料を原料としている食品メーカが容易に食品のトレースデータを検索出来るようにした結果、安定した品質の食品を管理提供出来るようにしたシステムを提供することにある。
【０００８】
また、本発明の他の目的は上記畜産農家の畜舎に係る情報や、家畜に係る情報を、ディジタル化すると共に、このディジタル化した情報を一元化して仮令えばインターネット等の電子通信網を介して配信することにより、場所や時間等に制限されることなく当該家畜の情報を視聴することが出来る技術を提供することにある。
【０００９】
また本発明の他の目的は生産者と消費者との間の情報交換による交流が出来るシステムを構築し、以って生産者と消費者の信頼関係を高め、消費者が安心して家畜製品を購入し消費出来るシステムを提供することにある。
【００１０】
即ち、仮令えば牛乳製品生産者が、ローリ等で各畜産農家から集配した生乳を製品化する場合においては、生産日におけるそれぞれの原料家畜すべての情報を把握する必要がある。
【００１１】
しかし、各畜産農家の家畜情報記録を保持していても基準が無くまちまちであり、家畜記録に統一性と基準を持たさねば利用できない。またこのデータは販売店，消費者にも容易かつ客観的に情報を視聴させなければならないのであるが、その情報管理は紙等の媒体で無理があり、従って電子記録媒体には記録保管が好ましい。
【００１２】
しかし、視聴などが容易に出来るようにするには、常に自分の手元に当該記録媒体を用意しておかなければならないという問題がある。視聴者が離れた場所で上記記録媒体の記録情報を視聴する場合等には、当該記録媒体を常に持ち歩かなければならず、非常に面倒である。
【００１３】
またこの持ち歩きの際に当該記録媒体を紛失する可能性も十分にある。さらに販売店において視聴する場合においても販売店自身が常に上記記録媒体を管理保持しておく必要がある。
【００１４】
従って本発明の管理システムに権限のない不法な者の操作による誤データの入力や改竄や隠匿を未然に防止出来るシステムの構築もその目的とするものである。
【００１５】
【課題を解決するための手段】
而して本発明の特徴は、上記の目的を達成するために、上記生産者概要台帳と家畜の個体及び群体管理台帳と、家畜の飼料データ等の情報を一元化して保存及び管理する家畜の情報管理装置と、上記販売店や消費者等のように当該家畜の情報が管理される側の者が使用する端末装置とで構成されていることであり、かつこれら各装置は、仮令えばインターネット等の電子通信網を介して双方向通信が可能とされていることである。
【００１６】
更に、詳しくは家畜の情報に個体及び群体管理データだけでなく、家畜舎の構造や飼育などの基本データと飼料データの情報を含めることを特徴とする。
【００１７】
また、生産者と消費者等との交流履歴を管理するための交流履歴データ、消費者に最新の情報交換の履歴を公開することを特徴とする。
【００１８】
さらに、「パスポート」という紙形態を印刷発行することにより個体ＩＤ証明化と生産者（畜産農家）のプロフィール情報等がＩＤ証明化出来ることもその特徴である。
【００１９】
このうち、家畜の情報管理装置は、上記畜産農家等のように所定の家畜の生産に係る生産データが記憶されている生産データ記憶手段と、上記端末装置から上記通信網を介して送られてくる配信要求指令を受信する管理側受信手段と、この管理側受信手段が受信して得た上記配信要求指令に対応する生産データを上記生産データ記憶手段から呼び出す生産データ呼出手段と、この生産データ呼出手段が呼び出した生産データと、上記通信網を介して上記端末装置に送信する管理側送信手段とを具備することが特徴となっている。
【００２０】
なお、ここで言う上記家畜のデータとしては、仮令えば上記家畜や農家等における画像（静止画像，動画像）や、その家畜或いは農家等の声、更にはその時々における条件等を数値や文章で表した文字（テキスト）データなど多種多様な情報があり、この家畜の情報報管理装置は、仮令えばサーバにより構成出来るものである。
【００２１】
一方端末装置は、上記家畜のデータ記憶手段に記憶されている上記家畜のデータの内任意のものを選択して、その配信を希望する旨の上記配信要求指令を生成する配信要求手段と、この配信要求手段が生成した上記配信要求指令を上記通信網を介して送信する端末側送信手段と、この配信要求指令を送信することにより上記通信網を介して送られてくる上記のデータを受信する端末側受信手段とよりなり、この端末側受信手段によって受信して得た上記家畜データを当該家畜データの属性に応じた形態で出力するようになっている。
【００２２】
仮令えば当該家畜データが文字や図形或いは画像等の所謂視覚的情報である場合にはこれを視覚的形態で出力（表示）し、当該家畜データが音声や音楽等の所謂視覚的情報である場合にはこれを聴覚的形態により出力することが出来る情報出力手段とを具備することが特徴となっている。
【００２３】
なおこの場合の端末装置は、仮令えばインターネット（Ｗｅｂサイト）への接続環境を備えたパーソナル・コンピュータにより構成出来る。特に、ＧＵＩ（Ｇｒａｐｈｉｃａｌ  Ｕｓｅｒ  Ｉｎｔｅｒｆａｃｅ）環境を備えたパーソナル・コンピュータが、望ましい。
【００２４】
また、ＰＤＡ（Ｐｅｒｓｏｎａｌ  Ｄｉｇｉｔａｌ  Ａｓｓｉｓｔａｎｔ）装置や携帯電話機、或いはＰＨＳ（Ｐｅｒｓｏｎａｌ  Ｈａｎｄｙｐｈｏｎｅ  Ｓｙｓｔｅｍ）等のように、表示画面を備え、かつインターネットに接続可能な機能を備えた移動体通信装置等によっても、本端末装置を構成出来る。
【００２５】
即ち本発明によれば、家畜情報管理装置の生産者概要台帳記憶手段には農家に係る情報をディジタル化した生産者概要データが、個体及び群体管理台帳記憶手段には家畜に係る情報をディジタル化した個体及び群体データが記憶されている。
【００２６】
ここで、上記消費者によって端末装置側から任意の生産者概要データや個体及び群体管理データの家畜情報の配信を希望する旨の配信要求指令を送信すると、家畜情報管理装置はこれを受けて、当該配信要求指令に対応する農家情報を上記生産者概要データ記憶手段から家畜情報を個体及び群体管理データから呼び出して、端末装置に送信するのである。
【００２７】
この端末装置側に送信された家畜情報は、ここで視覚的形態や聴覚的形態の情報に変換されて出力される。従って、端末装置側においては時間に制限されることなく、いつでも自由に任意の家畜情報を視聴出来るのである。
【００２８】
また、インターネットを利用出来る端末装置があれば（即ち環境が整っていれば）、場所に制限されることなくどこからでも当該家畜情報を視聴出来る。更に複数台の端末装置から同時に家畜情報管理装置にアクセスすることも出来る。そして各端末装置により、同一の家畜情報管理データを同時に視聴することも出来る。
【００２９】
さらに家畜のデータは通常ディジタル化された状態で保存されているので、劣化する心配がない。従って何年も先の将来に亘って、所謂半永久的に家畜農家や食品メーカ等の歴史を振り返ることが出来る。また、仮令えば消費者等が、家畜農家や食品メーカ等の歴史を視聴することも出来る。
【００３０】
さらに仮令えば、将来途中で当該トレースデータを管理する者が不在になる等により当該管理行為が途切れたとしても、上記の歴史が入力された歴史データは劣化することなく保存されているので、新たに管理する者が現れたときに当該管理を再開出来る。特に家畜のデータは一元化されているので、その管理は極めて容易である。即ち、インターネットを利用出来る環境が整っていさえすれは、いつでもどこからでも当該家畜データを管理出来るのである。
【００３１】
なお家畜情報管理装置側には、上記端末装置側において上記配信要求指令を生成して送信する際の手順を指示するための手順指示情報を生成し、これを管理者側送信手段により上記通信網を介して当該端末装置側に送信する手順指示手段を設けてもよい。この場合端末装置については、上記歴史情報管理装置側から通信網を介して送られてくる手順指示情報を受信して、この受信して得た手順指示情報に基づいて上記配信要求指令を生成して送信するように構成するのが好ましい。
【００３２】
このように構成することにより、家畜情報管理装置側から端末装置に対して、当該端末装置側において視聴を希望する家畜データを選択する際の手順を、指示することが出来る。従って端末装置側においては、家畜情報管理装置側から指示された手順（所謂フォーマット）に従って操作すればよく、当該操作が容易になるのである。
【００３３】
また家畜情報管理装置の家畜データ記憶手段は、上記家畜データを所定の分類に従って階層状（所謂ツリー状）に記憶する構成としてもよい。この場合家畜データ呼出手段は、当該階層状に記憶されている家畜データの中から上記配信要求指令に対応するものを、当該階層の順に沿って段階的に呼び出すように構成するのがよい。
【００３４】
このように家畜データを階層構造とすれば、端末装置側において希望の家畜データを検索する際、上記所定の分類別に当該検索を実行出来るので当該検索が容易になる。即ち、一般に知られているインデックス管理を実現出来るのである。
【００３５】
そしてさらに上記家畜データ記憶手段は、上記家畜データとして上記農家や消費者等に係る家畜トレースを表すための交流履歴データを含む構成としてもよい。このようにすれば、当該家畜や農家のトレースを一覧で把握出来るのである。
【００３６】
また本発明の他の特徴としては上記生産者概要台帳と、個体及び群体管理台帳と、飼料管理台帳からなる家畜情報システム本体は、当該システム本体を操作し得る管理者にパスワードのような識別情報を与えることが出来る構成を有し、かつ当該管理者の端末装置から上記通信網を介して送られる情報が、正に管理者の者であるか否かを照合し判断する機能を持たせたことである。
【００３７】
この構成によって管理者の端末装置側から家畜情報管理システム側に送られる管理者の端末側識別情報と、予め家畜情報管理システム側に登録されている管理側識別情報とが一致したときにのみ、これら家畜情報管理システムと端末装置との間で家畜データが送受信される。
【００３８】
即ち、端末装置により任意の家畜データを視聴するには、当該端末装置を操作する管理者が上記任意の家畜データを視聴する権利を有する所謂正当権利者であることを証明することが出来る、当該真の端末側識別番号を知らない第三者等による不正なアクセスを排除出来るのである。
【００３９】
また、本発明では家畜データ記憶手段に記憶されている家畜データの内容を、端末装置側から任意に更新出来るようにすることも出来る。この場合、端末装置については上記家畜データ記憶手段に記憶されている家畜データの内容を任意に更新する旨の家畜データ更新指令を生成して歴史情報管理装置に送信する手段を設ける。そして、家畜情報管理装置については、管理者側受信手段が端末装置から上記家畜データ更新指令を受信したとき、この受信して得た家畜データ更新指令に応じて、上記家畜データ記憶手段に記憶されている家畜データの内容を更新する家畜データ更新手段を設けることも可能で本発明の技術的範疇にある。
【００４０】
このように、家畜データを任意に更新出来るようにすることによって、当該家畜データを後世にわたって半永久的に蓄積することが出来る。なお、ここで言う更新は、家畜データの内容を追加出来るものとするに留め、当該家畜データの内容を任意に書き換えたり消去したりするのは不可能とするのが望ましい。
【００４１】
即ち、当該家畜データが農家や消費者等の交流履歴に係る情報であるということを鑑みると、かかる情報を任意に書き換えたり消去したりすることは好ましくないからである。また、仮令えば農家経営者の個人情報に係る情報等のようにデータの内容（種類）によっては、当該内容を全く更新不可能とすることも必要である。
【００４２】
なお家畜データの内容を更新可能とする場合でも、当該家畜データの内容を更新出来るのは、或る特定の人間に限定するのが望ましい。それは第三者等によって、当該家畜データの内容が不当に更新されるのを、防止するためである。
【００４３】
それには、端末装置側から家畜情報管理装置側に送られる端末側の識別情報と、予め家畜情報管理装置側に登録されている管理側の識別情報と、が一致したときにのみ、端末装置側から上記家畜データ記憶手段に記憶されている家畜データの内容を更新することが出来るようにすることである。
【００４４】
即ち、端末装置により上記家畜データの内容を更新するには、当該端末装置を操作する者が上記家畜データの内容を更新する権利を有する正当権利者であることを証明するための真の端末側識別番号を入力する必要がある。従って、当該真の端末側識別番号を知らない第三者により上記家畜データが不当に更新されるのを防止することが出来るのである。
【００４５】
【発明の実施の形態】
（実施の形態１）
本発明を仮令えば牛の家畜情報を管理するシステムに応用する場合の一実施の形態について、図１から図４を参照して構成の説明をする。
【００４６】
図１は、本実施の形態の概略構成図である。
図中（１）は生産者概要台帳で、個々の牧場経営者が持つ家畜舎の構造や飼育などの基本データが記憶されている。（２）は個体及び群体管理台帳で、家畜の名前，整理番号，生年月日，出生地など１乃至複数の記録管理するためのものである。（３）は飼料管理台帳で、家畜に与える飼料を管理するためのものである。
【００４７】
図２の本実施の形態の概略構成を示すブロック図で、（４）はＷｅｂサーバであり、同図に示すように本実施の形態はこのＷｅｂサーバ（４）と仮令えばインターネット（５）を介して両方向通信が可能な複数の消費者側の端末装置（６）、（６）、（６）、…とから成る。
【００４８】
このうち、サーバ（４）は図示しないデータ・ベースを有しており、このデータ・ベースには上記牛の家畜に係る家畜データが、仮令えばＨＴＭＬ形式で記憶されている。
【００４９】
而して上記個体・群体管理台帳（２）データは「個体番号」「品種」「名号」などのいくつかのカテゴリを階層状に記憶させたものである。勿論これら以外の仮令えば表１に示すような所望のデータを記憶させても構わない。
【００５０】
【表１】
2004302565.tif 000003
【００５１】
また、表２は生産者概要管理台帳（１）のデータを、表３は飼料管理台帳（２）の給与データ表している。
【００５２】
【表２】
2004302565.tif 000004
【００５３】
【表３】
2004302565.tif 000005
【００５４】
一方、上記各端末装置（６）、（６）、（６）、…は、仮令えばＧＵＩ環境を備えたパーソナル・コンピュータにより構成されている。また、これら各端末装置（６）、（６）、（６）、…を使用する各個人には、それぞれ個別の識別番号（ＩＤ）とパスワードとが予め付与されている。なお、パスワードについては、後述するように閲覧用パスワードと更新用パスワードという２つのパスワードが付与されるのが好ましい。
【００５５】
また該生産者概要台帳（１）、該個体及び群体管理台帳（２）及び該飼料管理台帳（３）からなる家畜情報管理システム本体（Ａ）は、当該システムを操作し得る管理者にパスワードのような識別情報を与えることが出来る構成を有している。
【００５６】
次に本発明の作用を説明すると上記のように構成されたシステム（Ａ）において、仮令えば今各端末装置（６）、（６）、（６）、…の内いずれかの消費者が仮令えばインターネット（５）を介して上記サーバ（４）にアクセスするとする。そして当該個人の識別番号と、閲覧用パスワードとを入力すると、図３に示すような当該個人専用のホーム・ページ（Ｗｅｂページ）のタイトル・ページ（７）（トップ・ページ）が、図３のように上記自己の端末装置（６）の表示画面に表示される。これは個体パスポート（２４）と呼ばれるもので、ここでは画面に表示させる一例を示したが、必要に応じては出力シートに出力させても良い。
【００５７】
このタイトル・ページ（７）は詳細な表示手段を明示していないが、通常「ＩＤ，身分証明」と題した。これは前記した生産者概要台帳（１），個体及び群体管理台帳（２），飼料管理台帳（３）の各データを、固有の個体あるいは群体を呼び出すことによって表示出来るようになっている。
【００５８】
いま仮に牛を例とするならば図３のように農場名（多くは各号）（８）、個体（牛）の番号（９）、自家か育成か否かの表示である区分（１０）、個体の名称（１１）、経歴の記録としては生まれた日（１２）、繁殖の記録（１３）、産次数（１４）、導入先（１５）、給与飼料（１６）、交流記録（１７）と生産者は写真（１８）を入れると消費者に親しみやすくなる。
【００５９】
このタイトル・ページ（７）を表示するためのデータは、仮令えば予め管理者に予め与えられたパスワードと識別番号及び閲覧用パスワードのいずれかが、サーバ（４）側に登録されているものと異なる場合には、サーバ（４）側から端末装置（６）側に警告メッセージが発せられ、上記ホーム・ページへの閲覧が拒否される。
【００６０】
上記のように、本実施の形態によれば、サーバ（４）内に保存されている家畜情報をインターネットにより閲覧出来るので、家畜情報（Ｂ）を記録した媒体を持ち歩く必要はない。よって、当該家畜情報（Ｂ）を記録した媒体を紛失する恐れもない。また、家畜情報（Ｂ）を上記サーバ（４）内に一元化することで、いつでもどこからでも自由に上記家畜情報（Ｂ）を閲覧出来る。更に、離れた場所にいる複数の人間が同時に上記家畜情報（Ｂ）を閲覧することも出来るし、これら複数の人間が共同して当該家畜情報（Ｂ）を管理することも出来る。
【００６１】
そして当該家畜情報（Ｂ）はカテゴリ別に階層状に保存されているので、閲覧したい情報を容易に探し出すことが出来る。なお、ディジタル化された家畜情報（Ｂ）は劣化する心配がないので、何年も畜産物のトレースが可能であるのは言う間でもない。このように本実施の形態は、利便性においても管理面においても非常に有効である。
【００６２】
なお、本実施の形態においては、乳牛飼育農家の家畜情報を管理する場合について説明したがこれに限らない。仮令えば、肉牛飼育農家や、鶏肉飼育農家等、の畜産物情報を管理する場合にも本発明を応用出来る。
【００６３】
そして、本実施の形態は、本発明を実現するための一例であって、図２に示すデータ・ベースの構造や、図２に示す端末装置（６）側の表示画面の構成等は、用途に応じて任意に決定してもよい。
【００６４】
また、上記ホーム・ページの閲覧に関しては、上記識別番号及び閲覧用パスワードによる身元確認を不要としてもよい。そして、端末装置（６）側からは、当該ホーム・ページを更新不可能としてもよい。
【００６５】
従って、ＰＤＡ装置や携帯電話機、或いはＰＨＳ等によっても、当該端末装置（６）、（６）、（６）、・・・を構成出来る。そして、サーバ（４）のデータ・ベース内に記憶されている家畜データ（Ｂ）は、仮令えばＣＤ−ＲＯＭ等の光ディスクやＤＶＤ等の光磁気ディスク等によって、所謂オフライン的に配信することも出来る。
【００６６】
（実施の形態２）
図１及び図４において（２２）は、生産者（農家）パスポートであり、ここでは出力されたシート状のものを一例として挙げてある。即ち詳細に説明及び図示してないが、消費者（視聴者）の多くは仮令えば牛乳一本を購入するにも、この牛乳をもたらした牛の履歴やそれを育てた生産者の飼育環境、特に当該牛に与えた肥料の内容を知り、安心して購入し飲食することを切望している。
【００６７】
そこで本発明はこれらの消費者の要望に寄与するものであって、仮令えば牛乳の包装容器に生産者のコードを記載しておき、そのコードを図示しない端末装置（６）に表示させた生産者の欄に入力すると図のような生産者パスポート（２２）が表示されるようになっている。ここには通常の中の履歴データの外、牛舎の見取り図（１９）とか、生産者のプロフィール（２０）とか、特に生産者の写真（２１）も掲載すると生産者と消費者が身近なものとなって購入意欲が注がれるだけでなく、安心して当該商品を購入することが出来ると言うものである。
【００６８】
また図１において（２３）は交流履歴台帳であるが、これらは生産者間あるいは消費者間、或いは生産者と消費者間との交流の経過を、仮令えば表４に示すように交流日，交流内容，所属団体，地域，団体名，参加数，大人，対応部署，その他などの項目から１乃至複数を選択して設けることで管理させるものである。
【００６９】
【表４】
2004302565.tif 000006
【００７０】
また集められた交流の記録は図１で示すように上記農家パスポート（２２）並びに個体パスポート（２４）に反映することも可能であるが、これは特に実施しなくても本発明は実施できるものである。
【００７１】
【発明の効果】
以上のように、本発明によれば畜産農家の家畜情報が家畜情報管理装置に保存されており、この家畜情報はインターネット等の所定の通信網を介して端末装置により任意に視聴出来る。従って上述した従来技術とは異なり、インターネットを利用出来る環境が整ってさえすれば、時間や場所等に制限されることなく、いつでもどこからでも自由に上記家畜情報を視聴出来るという効果がある。
【００７２】
そしてディジタル化された家畜情報は劣化する心配がないので、原料のトレースが可能となる。
【００７３】
更に上記家畜情報を記録した記録媒体を持ち運ぶこともないので、当該記録媒体が紛失する恐れもない。特に家畜情報は上記家畜情報管理装置に一元化された状態で保存されているので、その管理が容易であるという効果がある。仮令えば、複数の人間が共同で当該家畜情報を管理することができ、当該管理を確実に遂行出来る。また、仮令えば将来途中で当該家畜情報を管理する者が不在になる等により当該管理行為が途切れたとしても、新たに管理する者が現れたときに、当該管理を容易に再開出来るのである。
【００７４】
このように本発明は利便性の面においてもまた管理面においても、上記従来の技術に比べて極めて有効であり、家畜の個体及び群体の生産記録をトレースするための情報を管理することが出来たのである。
【図面の簡単な説明】
【図１】本発明の一実施の形態を示す概略構成図である。
【図２】同実施の形態におけるＷｅｂサーバ（４）と各端末装置  （６）  側との構成を概念的に表した図である。
【図３】同実施の形態における発行個体パスポートの表示画面の一例を示す。図２に示す画面の各端末装置側（６）において「個体パスポート」ボタンをクリックしたときの画面の一実施例を示す図である。
【図４】同実施の形態における発行農家パスポートの表示画面の一例を示す。図２に示す画面の端末装置側（６）において「農家パスポート」ボタクしたときのボタンをクリックしたときの画面の一実施例を示す図である。
【符号の説明】
Ａ  システム
Ｂ  家畜情報
１  生産者概要台帳
２  個体及び群体管理台帳
３  飼料管理台帳
４  Ｗｅｂサーバ
５  インターネット
６  端末装置
７  タイトル・ページ
８  農場名（各号）
９  個体（牛）の番号
１０  区分
１１  個体の名称
１２  生まれた日
１３  繁殖の記録
１４  産次数
１５  導入先
１６  給与飼料
１７  交流記録
１８  写真
１９  牛舎の見取り図
２０  生産者のプロフィール
２１  生産者の写真
２２  農家パスポート
２３  交流履歴台帳
２４  個体パスポート
【図１】
2004302565.tif 000007
【図２】
2004302565.tif 000008
【図３】
2004302565.tif 000009
【図４】
2004302565.tif 000010